(57)【要約】【課題】画像通信装置の待機時における消費電力を抑えることができる画像通信装置および留守番電話機を提供することを目的とするものである。【解決手段】電話回線に接続される画像通信装置において、ＤＲＡＭを有し、上記画像通信装置が待機状態であれば、上記ＤＲＡＭを、システムのワークエリアとして使用しないように制御するアクセス停止手段と、上記画像通信装置が待機状態であれば、上記ＤＲＡＭ以外の記憶手段を、上記システムのワークエリアとして使用するワークエリア切り替え手段とを有する画像通信装置である。【選択図】  図１
2005057339.tif 000002
【特許請求の範囲】
【請求項１】
電話回線に接続される画像通信装置において、
ＤＲＡＭと；
上記画像通信装置が待機状態であれば、上記ＤＲＡＭを、システムのワークエリアとして使用しないように制御するアクセス停止手段と；
上記画像通信装置が待機状態であれば、上記ＤＲＡＭ以外の記憶手段を、上記システムのワークエリアとして使用するワークエリア切り替え手段と；
を有することを特徴とする画像通信装置。
【請求項２】
電話回線に接続される画像通信装置において、
ＤＲＡＭと；
上記画像通信装置が待機状態であれば、上記ＤＲＡＭ内の画像データの有無に応じて、上記ＤＲＡＭを、互いに異なる待機モードにするＤＲＡＭの待機モード設定手段と；
上記画像通信装置が待機状態であれば、上記ＤＲＡＭ以外の記憶手段を、上記システムのワークエリアとして使用するワークエリア切り替え手段と；
を有することを特徴とする画像通信装置。
【請求項３】
電話回線に接続される画像通信装置において、
ＤＲＡＭと；
上記画像通信装置が待機状態であれば、上記ＤＲＡＭ内のメッセージデータの有無に応じて、上記ＤＲＡＭを、互いに異なる待機モードにするＤＲＡＭの待機モード設定手段と；
上記画像通信装置が待機状態であれば、上記ＤＲＡＭ以外の記憶手段を、上記システムのワークエリアとして使用するワークエリア切り替え手段と；
を有することを特徴とする画像通信装置。
【請求項４】
電話回線に接続される留守番電話機において、
ＤＲＡＭと；
上記留守番電話機が待機状態にある場合は、上記ＤＲＡＭを、システムのワークエリアとして使用しないアクセス停止手段と；
上記留守番電話機が待機状態であれば、上記ＤＲＡＭ以外の記憶手段を、上記システムのワークエリアとして使用するワークエリア切り替え手段と；
を有することを特徴とする留守番電話機。
【請求項５】
請求項４において、
上記ＤＲＡＭ以外の記憶手段に、留守番電話機の待機時に最低限必要なワークエリアを確保することを特徴する留守番電話機。
【請求項６】
電話回線に接続される留守番電話機において、
ＤＲＡＭと；
上記画像通信装置が待機状態であれば、上記ＤＲＡＭ内のメッセージデータの有無に応じて、上記ＤＲＡＭを、互いに異なる待機モードにするＤＲＡＭの待機モード設定手段と；
上記画像通信装置が待機状態であれば、上記ＤＲＡＭ以外の記憶手段を、上記システムのワークエリアとして使用するワークエリア切り替え手段と；
を有することを特徴とする留守番電話機。
【請求項７】
請求項４において、
上記低消費電力モードは、上記ＤＲＡＭ内のデータを保持する低消費電力モードと、データを保持しない低消費電力モードとを持つモードであることを特徴とする留守番電話機。
【請求項８】
請求項４において、
電源制御手段を設けることによって、留守番電話機の待機時にデータを保持しない場合、上記ＤＲＡＭの電源供給を停止する低消費電力モードを持つことを特徴とする留守番電話機。
【発明の詳細な説明】
【０００１】
【発明の属する技術分野】
本発明は、通常の電話回線に接続される画像通信装置に係り、特に、留守番電話機能を具備する画像通信装置に関するものである。
【０００２】
【従来の技術】
従来、この種の画像通信装置において、記憶手段であるＤＲＡＭは、画像データを格納し、また、留守番電話としてのメッセージデータを格納し、さらに、システムＣＰＵのワークエリアとしても兼用されている。
【０００３】
したがって、格納データの有無に関わらず、装置が待機状態であっても、ＤＲＡＭは常時アクセス状態である。
【０００４】
また、従来の留守番電話機能付きファクシミリでは、受信画像、録音内容を、バッテリーバックアップされていないＤＲＡＭに保存し、この保存内容を、バッテリーバックアップされているＳＲＡＭ１１に保存しなおす（たとえば、特許文献１参照）。
【０００５】
【特許文献１】
特開平１１−０７４９９０号公報
【０００６】
【発明が解決しようとする課題】
近年、装置の省エネルギー化、低消費電力が求められ、各部における使用部品の低消費電力化が実施され、スタンバイ時に不要なユニットの電源を落とし、供給クロックの速度を落とす等、各種の省エネルギー化が実施されている。
【０００７】
特に、２４時間通電状態にあり、しかも動作状態の大半が待機状態にあるファクシミリ装置においては、待機時の低消費電力化が求められている。画像データやメッセージデータの格納と兼用し、ＣＰＵのワークエリアとして使用されるＤＲＡＭの消費電力は、無視できないという問題がある。
【０００８】
また、近年では、システムクロック速度が高速化の一途を辿り、待機時において、常にＤＲＡＭをアクセスすると、放射ノイズの面で不利であり、この対策コストも無視できないという問題がある。
【０００９】
本発明は、画像通信装置の待機時における消費電力を抑えることができる画像通信装置および留守番電話機を提供することを目的とするものである。
【００１０】
【課題を解決するための手段】
本発明は、電話回線に接続される画像通信装置において、ＤＲＡＭを有し、上記画像通信装置が待機状態であれば、上記ＤＲＡＭを、システムのワークエリアとして使用しないように制御するアクセス停止手段と、上記画像通信装置が待機状態であれば、上記ＤＲＡＭ以外の記憶手段を、上記システムのワークエリアとして使用するワークエリア切り替え手段とを有する画像通信装置である。
【００１１】
【発明の実施の形態および実施例】
図１は、本発明に第１の実施例であるファクシミリ装置ＦＳ１を示すブロック図である。
【００１２】
ファクシミリ装置ＦＳ１は、ＣＰＵ１、ＲＯＭ２、ＤＲＡＭ３、不揮発性ＲＡＭ４、操作部５、表示部６、センサ部７、電源制御部８、画像処理部９、読取部１０、記録部１１、駆動部１２、ＭＯＤＥＭ１３、ＮＣＵ１４を有する。
【００１３】
ＣＰＵ１は、ＲＯＭ２に記憶されているプログラムに従って、ファクシミリ装置ＦＳ１の全体を制御する。
【００１４】
ＤＲＡＭ３は、ＳＤＲ−ＳＤＲＡＭまたはＤＤＲ−ＳＤＲＡＭによって構成され、読取部１０が読み取った画像を、画像処理部９を介して得た画像データを格納し、または記録部１１が記録する画像データを格納し、ＭＯＤＥＭ１３が変調した信号を、ＮＣＵ１４を介して、加入者回線１５から出力された二値化データを格納するものである。また、加入者回線１５、ＮＣＵ１４を介して入力されたアナログ信号を、ＭＯＤＥＭ１３が、二値化データに復調し、この復調された二値化データを、ＤＲＡＭ３が格納する。
【００１５】
さらに、ファクシミリ装置ＦＳ１が留守番電話機能を具備する場合は、加入者回線１５を介して入力された発呼相手の音声メッセージを、ＮＣＵ１４を介して、ＭＯＤＥＭ１３のＡＤＰＣＭオーディオ・コーデックがデジタル圧縮した音声データを格納するためにも、ＤＲＡＭ３が用いられる。
【００１６】
また、ファクシミリ装置ＦＳ１が通常動作しているときには、ＣＰＵ１のワークエリアとしても、ＤＲＡＭ３が使用される。
【００１７】
不揮発性ＲＡＭ４は、バッテリ等でバックアップされたＳＲＡＭであり、ファクシミリ装置ＦＳ１固有の電話番号、ユーザ略称等のデータ、通信結果、各種装置設定データを記憶する。
【００１８】
また、不揮発性ＲＡＭ４は、ファクシミリ装置ＦＳ１が待機しているときには、ＣＰＵ１のワークエリアとしても使用される。
【００１９】
操作部５は、ダイヤルするためのテンキーや短縮ダイヤルキー、ファクシミリ送信／受信等のスタートキーと、送信画像におけるファイン、スタンダード等の操作モードを指定するモードキーと、複写時におけるコピーキーと、動作を停止させるストップキー等によって構成されている。
【００２０】
さらに、ファクシミリ装置ＦＳ１が留守番電話機能を具備する場合、留守番電話を設定・解除するモードキーと、録音されたメッセージを再生するキーや消去するキーが具備される。
【００２１】
なお、ＣＰＵ１は、これらのキーの押下状態を検出し、この検出された押下状態に応じて、各部を制御する。
【００２２】
表示部６は、ドットマトリックスタイプのＬＣＤ（液晶表示器）と、ＬＣＤドライバ、ＬＥＤによって構成され、ＣＰＵ１からの制御に基づいて、各種ＬＣＤ表示、ＬＥＤ点灯を行う。
【００２３】
センサ部７は、記録紙幅センサ、記録紙有無センサ、原稿幅センサ、原稿有無センサによって構成され、センサ部７の出力信号に基づいて、ＣＰＵ１が、原稿と記録紙との状態を検知する。
【００２４】
電源制御部８は、商用交流電源から、ＤＣ＋３．３Ｖ／＋５Ｖ／＋１２Ｖ／＋２４Ｖ等、マルチ出力を得るスイッチング電源によって構成され、ＣＰＵ１の制御に基づいて、各出力のオン／オフ制御や立上り／立下りシーケンスの制御を行う。
【００２５】
画像処理部９は、読取部１０を制御するクロック供給回路、ピークホールド回路、シェーディング補正回路、Ａ／Ｄ変換回路、ＤＭＡコントローラ等によって構成され、読取部１０が読み取った画像データに、２値、１６階調、６４階調の画像処理を施し、処理した画像データをＤＲＡＭ３に転送する。
【００２６】
読取部１０は、ＣＣＤまたは密着型イメージセンサ（ＣＩＳ）等の光電変換手段を具備し、ＣＰＵ１の制御に基づいて、ＣＣＤまたはＣＩＳを使用して原稿を読み取った画像データを、順次、画像処理部９に送るものである。
【００２７】
記録部１１は、ＤＭＡコントローラ、Ｂ４／Ａ４サイズのサーマルヘッドまたはＢＪプリンタヘッド（バブルジェットプリンタヘッド）、汎用ＩＣ等によって構成され、ＣＰＵ１の制御によって、ＤＲＡＭ３に格納されている記録データを取り出し、ハードコピーとしてプリントアウトするものである。
【００２８】
駆動部１２は、読取部１０と、記録部１１の給排紙ローラを駆動するステッピングモータと、モータの駆動力を伝達するギヤと、モータを制御するドライバ回路等によって構成されている。
【００２９】
ＭＯＤＥＭ１３は、Ｖ．３４、Ｖ．３２、Ｖ．３２ｂｉｓ、Ｖ．１７、Ｖ．２９、Ｖ．２７ｔｅｒ、Ｖ．２３、Ｖ．２１（Ｈ、Ｌ）モデムと、これらのモデムに接続されたクロック発生回路等によって構成され、ＣＰＵ１の制御に基づいて、ＤＲＡＭ３に格納されている送信データを変調し、ＮＣＵ１４を介して、加入者回線１５に出力するものである。
【００３０】
さらに、ＭＯＤＥＭ１３は、加入者回線１５からのアナログ信号を、ＮＣＵ１４を介して導入し、この導入されたアナログ信号を二値化データに復調し、この復調された二値化データを、ＤＲＡＭ３に格納するものである。
【００３１】
また、ファクシミリ装置ＦＳ１が留守番電話機能を具備する場合、ＡＤＰＣＭオーディオ・コーデックを内蔵し、ＮＣＵ１４を介して、加入者回線１５からの音声メッセージを、３２Ｋｂｐｓ、または２４Ｋｂｐｓの音声データに圧縮し、ＤＲＡＭ３に格納するものである。
【００３２】
ＮＣＵ１４は、加入者回線の規格に合致した直流の捕捉回路、交流の捕捉回路、Ｃｉ（呼出信号）検出回路、トランス・フォトカプラ・メカニカルリレー等の一次二次分離絶縁部品、２線４線変換回路等によって構成され、加入者回線１５をＭＯＤＥＭ１３に接続し、ファクシミリ通信を行うものである。
【００３３】
また、ＮＣＵ１４のメカニカルリレーを切り替えることによって、付属のハンドセットや、外部電話接続端子に接続される外付電話機１６を、加入者回線１５に接続し、通話するものである。
【００３４】
外付電話機１６は、ファクシミリ装置ＦＳ１の付属のハンドセットと、汎用の電話機とを１台接続することができる。
【００３５】
次に、ファクシミリ装置ＦＳ１の動作について説明する。
【００３６】
図２は、ファクシミリ装置ＦＳ１の動作を示すフローチャートである。
【００３７】
ファクシミリ装置ＦＳ１に電源が投入されると、ＣＰＵ１が各種イニシャライズ動作を行い、スタンバイ状態ＳＴに入る。また、ファクシミリ送受信、コピー、通話等の一連の動作が終わると、スタンバイ状態ＳＴに入る。
【００３８】
スタンバイ状態ＳＴに入ると、ステップＳ１では、ＤＲＡＭ３に送信予約された画像データや受信した画像データが格納されているかどうかを判断する。
【００３９】
画像データが格納されていない場合、ステップＳ２では、ＤＲＡＭ３に対して、クロック・イネーブル信号ＣＫＥをインアクティブにし、ＤＲＡＭ３（ＳＤＲ−ＳＤＲＡＭまたはＤＤＲ−ＳＤＲＡＭ）のパワーダウンモードに入り、ＤＲＡＭ３に供給するクロック信号を停止する。これと同時に、ＣＰＵ１が、ワークエリアを、不揮発性ＲＡＭ４に切り替え、低消費スタンバイモードに入る。
【００４０】
低消費スタンバイモードに入ると、ステップＳ３では、加入者回線１５からの呼出信号Ｃｉや操作部５のキー操作、センサ部７による原稿の検知、ハンドセットのオフフック等の動作起動要因を監視する。
【００４１】
ステップＳ３では、いずれかの起動要因によって、コピー、ファクシミリ送受信、通話のための発呼のうちのいずれかの動作の指示を受けると、ステップＳ４では、速やかにＤＲＡＭ３にクロック供給を開始し、クロック・イネーブル信号ＣＫＥをアクティブにし、ＤＲＡＭ３（ＳＤＲ−ＳＤＲＡＭまたはＤＤＲ−ＳＤＲＡＭ）について、パワーダウンモードを解除する。
【００４２】
パワーダウンモードを解除した後に、ステップＳ５では、ＣＰＵ１が、ワークエリアを、ＤＲＡＭ３に切り替え、要求のあった動作を行い、スタンバイ状態ＳＴに戻る。
【００４３】
次に、ステップＳ１において、ＤＲＡＭ３に画像データが格納されていると判断された場合、ステップＳ６では、送信予約の画像データがあるかどうかを判断する。
【００４４】
送信画像データがない場合、ステップＳ７では、センサ部７から記録紙の有無を判断し、記録紙があれば、ステップＳ８では、ＤＲＡＭ３に格納されている受信画像データをプリントアウトし、その後に、ステップＳ２以降のフローチャートに従って、パワーダウンモードに移行し、低消費スタンバイモードに入る。
【００４５】
ステップＳ６で、送信画像データがあると判断された場合、またはステップＳ７で、記録紙がないと判断された場合、ステップＳ９では、セルフリフレッシュ開始コマンドをＤＲＡＭ３に送ると同時に、クロック・イネーブル信号ＣＫＥをインアクティブにし、ＤＲＡＭ３（ＳＤＲ−ＳＤＲＡＭまたはＤＤＲ−ＳＤＲＡＭ）について、セルフリフレッシュモードに入り、ＤＲＡＭ３に供給するクロック信号を停止する。これと同時に、ＣＰＵ１は、ワークエリアを不揮発性ＲＡＭ４に切り替え、低消費スタンバイモードに入る。
【００４６】
なお、セルフリフレッシュモード時は、格納されている画像データが保持される。
【００４７】
低消費スタンバイモードに入ると、ステップＳ１０では、加入者回線１５からの呼出信号Ｃｉ、操作部５のキー操作、センサ部７による原稿の検知、ハンドセットのオフフック等、動作起動要因を監視する。送信予約がある場合は、送信指定時刻を監視する。
【００４８】
ステップＳ１０で、いずれかの起動要因によってコピー、ファクシミリ送受信、通話のための発呼のいずれかの動作の指示を受けるか、または送信指定時刻になると、ステップＳ１１で、速やかにＤＲＡＭ３にクロック供給を開始し、クロック・イネーブル信号ＣＫＥをアクティブにし、セルフリフレッシュ終了コマンドを送り、ＤＲＡＭ３（ＳＤＲ−ＳＤＲＡＭまたはＤＤＲ−ＳＤＲＡＭ）のセルフリフレッシュモードを解除する。
【００４９】
セルフリフレッシュモードを解除した後に、ステップＳ５では、ＣＰＵ１が、ワークエリアをＤＲＡＭ３に切り替え、要求のあった動作を実行し、スタンバイ状態ＳＴに戻る。
【００５０】
次に、本発明の第２の実施例である留守番電話機能を有するファクシミリ装置ＦＳ２について説明する。
【００５１】
留守番電話機能を有するファクシミリ装置ＦＳ２の構成は、ファクシミリ装置ＦＳ１と基本的には同じであり、留守番電話機能を有する点のみが異なる。
【００５２】
図３は、本発明の第２の実施例である留守番電話機能を有するファクシミリ装置の動作を示すフローチャートである。
【００５３】
ファクシミリ装置ＦＳ２は、電源が投入されると、ＣＰＵ１が各種イニシャライズ動作を行い、スタンバイ状態ＳＴに入る。また、ファクシミリ送受信、コピー、通話、留守番電話メッセージ録音等の一連の動作が終わると、スタンバイ状態ＳＴに入る。
【００５４】
スタンバイ状態ＳＴに入ると、ステップＳ１２では、ＤＲＡＭ３に留守番電話メッセージデータが格納されているかどうかを判断する。
【００５５】
留守番電話メッセージデータが格納されていれば、ステップＳ１３では、操作部５の再生キーが押下されたかどうかを判断する。
【００５６】
再生キーが押下されると、ステップＳ１４では、ＤＲＡＭ３に格納されているメッセージデータを再生し、再生が終わると、ステップＳ１５では、オペレータにメッセージデータを消去するか否かの指示を促し、操作部５の消去キーが押下されるかどうかを判断する。
【００５７】
消去キーが押下されると、ステップＳ１６では、ＤＲＡＭ３に格納されているメッセージデータを消去した後に、ファクシミリ装置ＦＳ１における動作と同様に、ステップＳ１以降の画像データの有無に従って、パワーダウンモードまたはセルフリフレッシュモードへ移行し、低消費スタンバイモードに入る。
【００５８】
ステップＳ１３で再生キーが押下されなければ、またはステップＳ１５で消去キーが押下されなければ、ファクシミリ装置ＦＳ１の動作と同様に、ステップＳ９以降のセルフリフレッシュモードへ移行し、低消費スタンバイモードに入る。
【００５９】
この場合も、画像データと、メッセージデータとが、保持される。
【００６０】
ファクシミリ装置ＦＳ１、ＦＳ２において、低消費スタンバイモード時のＣＰＵのワークエリアを、外部のＳＲＡＭに切り替えて使用するが、内蔵メモリを有するＣＰＵを使用する場合、上記内蔵メモリを、ワークエリアに切り替えて使用するようにしてもよい。
【００６１】
つまり、上記実施例は、電話回線に接続される画像通信装置において、ＤＲＡＭと、上記画像通信装置が待機状態であれば、上記ＤＲＡＭを、システムのワークエリアとして使用しないように制御するアクセス停止手段と、上記画像通信装置が待機状態であれば、上記ＤＲＡＭ以外の記憶手段を、上記システムのワークエリアとして使用するワークエリア切り替え手段とを有することを特徴とする画像通信装置の例である。
【００６２】
また、上記実施例は、電話回線に接続される画像通信装置において、ＤＲＡＭと、上記画像通信装置が待機状態であれば、上記ＤＲＡＭ内の画像データの有無に応じて、上記ＤＲＡＭを、互いに異なる待機モードにするＤＲＡＭの待機モード設定手段と、上記画像通信装置が待機状態であれば、上記ＤＲＡＭ以外の記憶手段を、上記システムのワークエリアとして使用するワークエリア切り替え手段とを有することを特徴とする画像通信装置の例である。
【００６３】
さらに、上記実施例は、電話回線に接続される画像通信装置において、ＤＲＡＭと、上記画像通信装置が待機状態であれば、上記ＤＲＡＭ内のメッセージデータの有無に応じて、上記ＤＲＡＭを、互いに異なる待機モードにするＤＲＡＭの待機モード設定手段と、上記画像通信装置が待機状態であれば、上記ＤＲＡＭ以外の記憶手段を、上記システムのワークエリアとして使用するワークエリア切り替え手段とを有することを特徴とする画像通信装置の例である。
【００６４】
ところで、従来、留守番電話機において、記憶手段であるＤＲＡＭは、留守時の着信伝言メッセージデータを格納するとともに、システムＣＰＵのワークエリアとしても兼用されている。
【００６５】
近年、留守番電話機の省エネルギー化、低消費電力が求められ、各部における使用部品の低消費電力化が実施され、スタンバイ時に不要なユニットの電源を落としたり、供給クロックの速度を落とす等、各種の省エネルギー化が実施されている。特に２４時間通電状態にあり、しかも動作状態の大半が待機状態にある留守番電話機においては、待機時の低消費電力化が求められている。
【００６６】
伝言メッセージデータの格納と兼用して、ＣＰＵのワークエリアとして使用されるＤＲＡＭの消費電力は無視できない。また、近年では、システムクロック速度が高速化の一途を辿り、待機時において常にＤＲＡＭをアクセスすることは、放射ノイズの面でも不利な状況であり、その対策コストも無視できない。
【００６７】
本発明は、留守番電話機の待機時における消費電力を抑えることを目的とするものである。
【００６８】
図４は、本発明の第３の実施例であるファクシミリ機能を具備する留守番電話機Ｔ１を示すブロック図である。
【００６９】
留守番電話機Ｔ１は、ＣＰＵ２１と、ＲＯＭ２２と、ＤＲＡＭ２３と、不揮発性ＲＡＭ２４と、操作部２５と、表示部２６と、センサ部２７と、電源制御部２８と、画像処理部２９と、読取部３０と、記録部３１と、駆動部３２と、ＭＯＤＥＭ３３と、ＮＣＵ３４とを有する。
【００７０】
ＣＰＵ２１は、ＲＯＭ２２に記憶されているプログラムに従って、留守番電話機Ｔ１の全体、すなわちＤＲＡＭ２３、不揮発性ＲＡＭ２４、操作部２５、表示部２６、センサ部２７、電源制御部２８、画像処理部２９、読取部３０、記録部３１、駆動部３２、ＭＯＤＥＭ３３、ＮＣＵ３４を制御するものである。
【００７１】
ＤＲＡＭ２３は、ＳＤＲ−ＳＤＲＡＭまたはＤＤＲ−ＳＤＲＡＭによって構成され、読取部３０が読み取った画像を格納し、また、画像処理部２９を介して得た画像データを格納し、または記録部３１で記録される画像データを格納し、ＭＯＤＥＭ３３によって変調された信号であって、ＮＣＵ３４を介して加入者回線３５から出力する二値化データを格納するものである。また、ＤＲＡＭ２３は、加入者回線３５、ＮＣＵ３４を介して入力したアナログ信号を、ＭＯＤＥＭ３３が二値化して復調し、この復調された二値化データを格納するためにも、ＤＲＡＭ２３が用いられる。
【００７２】
さらには、留守番電話機として、加入者回線３５、ＮＣＵ３４を介して、入力された発呼相手の音声メッセージを、ＭＯＤＥＭ３３のＡＤＰＣＭオーディオ・コーデックがデジタル圧縮した音声データを格納するためにも、ＤＲＡＭ２３が用いられる。
【００７３】
また、ＤＲＡＭ２３は、留守番電話機Ｔ１が通常動作時であれば、ＣＰＵ２１のワークエリアとしても使用される。
【００７４】
不揮発性ＲＡＭ２４は、バッテリ等でバックアップされたＳＲＡＭであり、留守番電話機Ｔ１の固有の電話番号、ユーザ略称等のデータや通信結果、各種装置設定データを記憶する。
【００７５】
さらには、不揮発性ＲＡＭ２４は、待機時にＣＰＵ２１が最低限必要なワークエリアを確保し、留守番電話機Ｔ１が待機時である場合、ＣＰＵ２１のワークエリアとしても使用される。
【００７６】
操作部２５は、ダイヤルするためのテンキーや短縮ダイヤルキーと、ファクシミリ送信／受信等のスタートキーと、送信画像におけるファイン、スタンダード等の操作モードを指定するモードキーと、複写時におけるコピーキーと、動作を停止させるストップキーと、留守番電話を設定する設定・解除するモードキーと、録音されたメッセージを再生するためのキーや消去するためのキー等によって構成される。
【００７７】
なお、ＣＰＵ２１は、これらのキーの押下状態を検出し、その状態に応じて各部を制御する。
【００７８】
表示部２６は、ドットマトリックスタイプのＬＣＤ（液晶表示部）と、ＬＣＤドライバ、ＬＥＤによって構成され、ＣＰＵ２１からの制御に基づいて各種ＬＣＤ表示、ＬＥＤ点灯を行う。
【００７９】
センサ部２７は、記録紙幅センサ、記録紙有無センサ、原稿幅センサ、原稿有無センサによって構成され、ＣＰＵ２１の制御によって、原稿と記録紙との状態を検知する。
【００８０】
電源制御部２８は、商用交流電源からＤＣ＋３．３Ｖ／＋５Ｖ／＋１２Ｖ／＋２４Ｖ等、マルチ出力を得るスイッチング電源によって構成され、ＣＰＵ２１の制御に基づいて、各出力のオン／オフ制御や立上り／立下りシーケンスの制御を行う。さらに、電源制御部２８は、ＣＰＵ２１の制御によって、ＤＲＡＭ２３への電源供給のオン／オフを制御する。
【００８１】
画像処理部２９は、読取部３０を制御するクロック供給回路、ピークホールド回路、シェーディング補正回路、Ａ／Ｄ変換回路、ＤＭＡコントローラ等からなり、読取部３０によって読み取られた画像データに、２値、１６階調、６４階調の画像処理を施し、処理した画像データをＤＲＡＭ２３に転送する。
【００８２】
読取部３０は、ＣＣＤまたは密着型イメージセンサ（ＣＩＳ）等の光電変換手段を具備し、ＣＰＵ２１の制御に基づいて、ＣＣＤまたはＣＩＳを使用して原稿を読み取った画像データを、順次、画像処理部２９に送るものである。
【００８３】
記録部３１は、ＤＭＡコントローラ、Ｂ４／Ａ４サイズのサーマルヘッドまたはＢＪプリンタヘッド（バブルジェットプリンタヘッド）および汎用ＩＣ等によって構成され、ＣＰＵ２１の制御によって、ＤＲＡＭ２３に格納されている記録データを取り出し、ハードコピーとしてプリントアウトするものである。
【００８４】
駆動部３２は、読取部３０と記録部３１との給排紙ローラを駆動するステッピングモータと、モータの駆動力を伝達するギヤと、モータを制御するドライバ回路等によって構成されている。
【００８５】
ＭＯＤＥＭ３３は、Ｖ．３４、Ｖ．３２、Ｖ．３２ｂｉｓ、Ｖ．１７、Ｖ．２９、Ｖ．２７ｔｅｒ、Ｖ．２３、Ｖ．２１（Ｈ、Ｌ）モデムと、これらのモデムに接続されているクロック発生回路等によって構成され、ＣＰＵ２１の制御に基づいて、ＤＲＡＭ２３に格納されている送信データを変調し、ＮＣＵ３４を介して、加入者回線３５に出力するものである。また、ＭＯＤＥＭ３３は、加入者回線３５からのアナログ信号を、ＮＣＵ３４を介して導入し、これを復調して二値化したデータを、ＤＲＡＭ２３に格納するものである。
【００８６】
また、留守番電話機能の動作時は、ＡＤＰＣＭオーディオ・コーデックを内蔵し、ＮＣＵ３４を介して加入者回線３５から入力した音声メッセージを、３２Ｋｂｐｓ、または２４Ｋｂｐｓの音声データに圧縮し、ＤＲＡＭ２３に格納するものである。
【００８７】
ＮＣＵ３４は、加入者回線の規格に合致した直流の捕捉回路、交流の捕捉回路、Ｃｉ（呼出信号）検出回路、トランス・フォトカプラ・メカニカルリレー等の一次二次分離絶縁部品、２線４線変換回路等によって構成され、加入者回線３５をＭＯＤＥＭ３３に接続し、ファクシミリ通信や留守番電話の着信伝言メッセージ録音を行うものである。
【００８８】
また、ＮＣＵ３４のメカニカルリレーを切り替えることによって、付属のハンドセットや外部電話接続端子に接続される外付電話機３６を、加入者回線３５に接続し、通話するものである。
【００８９】
外付電話機３６は、留守番電話機Ｔ１付属のハンドセットと汎用の電話機とを、１台接続することができる。
【００９０】
次に、ファクシミリ機能を有する留守番電話機Ｔ１の動作について説明する。
【００９１】
図５は、ファクシミリ機能を有する留守番電話機Ｔ１の動作を示すフローチャートである。
【００９２】
留守番電話機Ｔ１に電源が投入されると、ＣＰＵ２１が各種イニシャライズ動作を行い、スタンバイ状態ＳＴに入る。また、ファクシミリ送受信、コピー、通話、留守番電話メッセージ録音等の一連の動作を終えると、スタンバイ状態ＳＴに入る。
【００９３】
スタンバイ状態ＳＴに入ると、ステップＳ３２では、留守番電話メッセージデータが、ＤＲＡＭ２３に格納されているかどうかを判断する。留守番電話メッセージデータがＤＲＡＭ２３に格納されていない場合、ステップＳ２１では、ＤＲＡＭ２３に送信予約された画像データや受信した画像データが格納されているかどうかを判断する。
【００９４】
画像データが格納されていない場合、ステップＳ２２では、ＤＲＡＭ２３に対してクロック・イネーブル信号ＣＫＥをインアクティブにし、ＤＲＡＭ２３（ＳＤＲ−ＳＤＲＡＭまたはＤＤＲ−ＳＤＲＡＭ）のパワーダウンモードに入り、ＤＲＡＭ２３に供給するクロック信号を停止する。同時に、ＣＰＵ２１は、ワークエリアを不揮発性ＲＡＭ２４に切り替え、低消費スタンバイモードに入る。
【００９５】
なお、パワーダウンモード時においては、ＤＲＡＭ２３内に保持されていたいかなるデータも保持されない。
【００９６】
低消費スタンバイモードに入ると、ステップＳ２３では、加入者回線３５からの呼出信号Ｃｉや操作部２５のキー操作、センサ部２７による原稿の検知、ハンドセットのオフフック等の動作起動要因を監視する。
【００９７】
ステップＳ２３では、いずれかの起動要因によってコピー、ファクシミリ送受信、通話のための発呼、留守番電話時の着呼のいずれかの動作の指示を受けると、ステップＳ２４では、速やかにＤＲＡＭ２３にクロック供給を開始し、クロック・イネーブル信号ＣＫＥをアクティブにし、ＤＲＡＭ２３（ＳＤＲ−ＳＤＲＡＭまたはＤＤＲ−ＳＤＲＡＭ）のパワーダウンモードを解除する。
【００９８】
パワーダウンモードを解除した後に、ステップＳ２５では、ＣＰＵ２１は、ワークエリアをＤＲＡＭ２３に切り替え、要求のあった動作を行い、スタンバイ状態ＳＴに戻る。
【００９９】
次に、ステップＳ２１で、ＤＲＡＭ２３に画像データが格納されている場合、ステップＳ２６では、格納されている画像データが送信予約の画像データであるかどうかを判断する。
【０１００】
格納されている画像データが、送信画像データでない場合、ステップＳ２７では、センサ部２７からの信号に基づいて、記録紙の有無を判断し、記録紙がある場合は、ステップＳ２８では、ＤＲＡＭ２３に格納されている受信画像データを、プリントアウトした後に、ステップＳ２２以降の上記動作に従って、パワーダウンモードに移行し、低消費スタンバイモードに入る。
【０１０１】
ステップＳ２６で送信画像データがあれば、またはステップＳ２７で記録紙がなければ、ステップＳ２９では、ＤＲＡＭ２３にセルフリフレッシュ開始コマンドを送ると同時に、クロック・イネーブル信号ＣＫＥをインアクティブにし、ＤＲＡＭ２３（ＳＤＲ−ＳＤＲＡＭまたはＤＤＲ−ＳＤＲＡＭ）のセルフリフレッシュモードに入り、ＤＲＡＭ２３に供給するクロック信号を停止する。同時に、ＣＰＵ２１は、ワークエリアを不揮発性ＲＡＭ２４に切り替え、低消費スタンバイモードに入る。
【０１０２】
なお、セルフリフレッシュモード時は、格納されている画像データが保持される。
【０１０３】
低消費スタンバイモードに入ると、ステップＳ３０では、加入者回線３５からの呼出信号Ｃｉや操作部２５のキー操作、センサ部２７による原稿の検知、ハンドセットのオフフック等の動作起動要因を監視する。送信予約がある場合は、送信指定時刻を監視する。
【０１０４】
ステップＳ３０では、いずれかの起動要因によってコピー、ファクシミリ送受信、通話のための発呼、留守番電話時の着呼のいずれかの動作の指示を受けるか、または送信指定時刻になると、ステップＳ３１で速やかにＤＲＡＭ２３にクロック供給を開始し、クロック・イネーブル信号ＣＫＥをアクティブにし、セルフリフレッシュ終了コマンドを送り、ＤＲＡＭ２３（ＳＤＲ−ＳＤＲＡＭまたはＤＤＲ−ＳＤＲＡＭ）のセルフリフレッシュモードを解除する。
【０１０５】
セルフリフレッシュモードを解除した後に、ステップＳ２５では、ＣＰＵ２１がワークエリアをＤＲＡＭ２３に切り替え、要求のあった動作を行い、スタンバイ状態ＳＴに戻る。
【０１０６】
次に、ステップＳ３２で、留守番電話メッセージデータが格納されていれば、ステップＳ３３では、操作部２５の再生キーが押下されたかどうかを判断する。
【０１０７】
再生キーが押下されると、ステップＳ３４では、ＤＲＡＭ２３に格納されているメッセージデータを再生し、再生が終わると、ステップＳ３５では、オペレータにメッセージデータを消去するか否かを促し、操作部２５の消去キーが押下されるかどうかを判断する。
【０１０８】
消去キーが押下されると、ステップＳ３６では、ＤＲＡＭ２３に格納されているメッセージデータを消去した後に、ステップＳ２１以降の画像データの有無に従って、パワーダウンモードまたはセルフリフレッシュモードへ移行し、低消費スタンバイモードに入る。
【０１０９】
ステップＳ３３で再生キーが押下されなければ、またはステップＳ３５で消去キーが押下されなければ、ステップＳ２９以降のセルフリフレッシュモードへ移行し、低消費スタンバイモードに入る。この場合も、メッセージデータが保持される。
【０１１０】
ファクシミリ機能を有する留守番電話機Ｔ１は、低消費スタンバイモード時のＣＰＵのワークエリアを、外部のＳＲＡＭに確保し、切り替えて使用する例であるが、内蔵メモリを有するＣＰＵを使用する場合、上記内蔵メモリをワークエリアに確保し、切り替えて使用するようにしてもよい。
【０１１１】
また、ファクシミリ機能を有する留守番電話機Ｔ１において、ＤＲＡＭ２３（ＳＤＲ−ＳＤＲＡＭまたはＤＤＲ−ＳＤＲＡＭ）が持つパワーダウンモードは、データを保持しない場合の低消費スタンバイモードの１つであるが、このようにする代わりに、電源制御部２８がオン・オフ制御可能な電源を、ＤＲＡＭに供給する構成にし、ステップＳ２２において、ＤＲＡＭ２３の電源供給を停止し、ステップＳ２４において、電源供給を開始するようにしてもよい。これによって、ファクシミリ機能を有する留守番電話機Ｔ１のパワーダウンモードと同様に、データを保持しないＤＲＡＭ電源供給停止モードで、低消費スタンバイモードにすることができる。
【０１１２】
つまり、留守番電話機Ｔ１は、電話回線に接続される留守番電話機において、ＤＲＡＭと、上記留守番電話機が待機状態にある場合は、上記ＤＲＡＭを、システムのワークエリアとして使用しないアクセス停止手段と、上記留守番電話機が待機状態であれば、上記ＤＲＡＭ以外の記憶手段を、上記システムのワークエリアとして使用するワークエリア切り替え手段とを有することを特徴とする留守番電話機の例である。
【０１１３】
また、留守番電話機Ｔ１は、電話回線に接続される留守番電話機において、ＤＲＡＭと、上記画像通信装置が待機状態であれば、上記ＤＲＡＭ内のメッセージデータの有無に応じて、上記ＤＲＡＭを、互いに異なる待機モードにするＤＲＡＭの待機モード設定手段と、上記画像通信装置が待機状態であれば、上記ＤＲＡＭ以外の記憶手段を、上記システムのワークエリアとして使用するワークエリア切り替え手段とを有することを特徴とする留守番電話機の例である。
【０１１４】
上記ＤＲＡＭ電源供給停止モードの実施例において、ＤＲＡＭ２３は、ＳＤＲ−ＳＤＲＡＭ、ＤＤＲ−ＳＤＲＡＭに限らず、セルフリフレッシュモードのみを持つＥＤＯ−ＤＲＡＭ等で構成するようにしてもよい。
【０１１５】
また、上記各実施例を、パソコン等、ファクシミリ装置以外の画像通信装置に適用するようにしてもよい。
【０１１６】
【発明の効果】
請求項１記載の発明によれば、電話回線に接続される画像通信装置において、ＤＲＡＭを具備し、画像通信装置が待機状態にある場合は、上記ＤＲＡＭを、システムのワークエリアとして使用しないアクセス停止手段を備え、ワークエリアを別の記憶手段に切り替える手段を設けるので、画像通信装置が待機時に、消費電力を抑えることができ、省エネルギー化を実現することができるという効果を奏する。
【０１１７】
また、請求項１記載の発明によれば、画像通信装置の待機時には、ＤＲＡＭへのクロック供給を停止するので、放射ノイズに対して有利に働くという効果を奏する。
【０１１８】
請求項２記載の発明によれば、電話回線に接続される画像通信装置において、ＤＲＡＭを具備し、画像通信装置が待機状態である場合、ＣＰＵのワークエリアを別の記憶手段に切り替える手段と、ＤＲＡＭをワークエリアとして使用しないアクセス停止手段を設け、しかも、受信した画像データまたは送信予約されている送信画像データが格納されているか否かに基づいて、ＤＲＡＭを、異なる待機モードにするので、データを損なうことなく、画像通信装置の待機時における消費電力を抑えることができ、省エネルギー化を実現することができるという効果を奏する。
【０１１９】
また、請求項２記載の発明によれば、画像通信装置の待機時に、ＤＲＡＭへのクロック供給を停止するので、放射ノイズに対して有利に働くという効果を奏する。
【０１２０】
請求項３記載の発明によれば、留守番電話機能を具備した画像通信装置において、画像通信装置が待機状態にある場合、ＣＰＵのワークエリアを別の記憶手段に切り替える手段と、ＤＲＡＭをワークエリアとして使用しないアクセス停止手段とを設け、しかも、録音されたメッセージデータが格納されているか否かに基づいて、ＤＲＡＭを、異なる待機モードにするので、データを損なうことなく、画像通信装置の待機時における消費電力を抑えることができ、省エネルギー化を実現することができるという効果を奏する。
【０１２１】
また、請求項３記載の発明によれば、画像通信装置の待機時に、ＤＲＡＭへのクロック供給を停止するので、放射ノイズに対して有利に働くという効果を奏する。
【０１２２】
請求項４記載の発明によれば、電話回線に接続される留守番電話機において、ＤＲＡＭを具備し、留守番電話機が待機状態にある場合は、上記ＤＲＡＭをシステムのワークエリアとして使用しないアクセス停止手段を備え、ワークエリアを別の記憶手段に切り替える手段を設けることによって、待機時の消費電力を抑えることができ、省エネルギー化を実現することができるという効果を奏する。
【０１２３】
また、請求項４記載の発明によれば、留守番電話機の待機時は、ＤＲＡＭへのクロック供給を停止するので、放射ノイズに対して有利に働くという効果を奏する。
【０１２４】
請求項５記載の発明によれば、電話回線に接続される留守番電話機において、ＤＲＡＭ以外の別の記憶手段に、待機時に最低限必要なワークエリアを確保するので、留守番電話機が待機状態にある場合は、ＣＰＵのワークエリアをＤＲＡＭから別の記憶手段に切り替えるので、ＤＲＡＭのアクセスを停止することができ、省エネルギー化を実現することができるという効果を奏する。
【０１２５】
請求項６記載の発明によれば、電話回線に接続される留守番電話機において、留守番電話機が待機状態にある場合は、ＣＰＵのワークエリアを別の記憶手段に切り替える手段と、ＤＲＡＭをワークエリアとして使用しないアクセス停止手段を設けて、しかも録音されたメッセージデータが格納されているか否かに応じて、ＤＲＡＭを異なる待機モードにするので、データを損なうことなく待機時の消費電力を抑えることができ、省エネルギー化を実現することができるという効果を奏する。
【０１２６】
また、請求項６記載の発明によれば、留守番電話機の待機時は、ＤＲＡＭへのクロック供給を停止するので、放射ノイズに対して有利に働くという効果を奏する。
【０１２７】
請求項７記載の発明によれば、電話回線に接続される留守番電話機において、ＤＲＡＭ内のデータを保持する低消費電力モードと、データを保持しない低消費電力モードとを持つので、必要なデータを損なうことなく待機時の消費電力を抑えることができ、省エネルギー化を実現することができるという効果を奏する。
【０１２８】
請求項８記載の発明によれば、電話回線に接続される留守番電話機において、電源制御手段を設けるので、留守番電話機が待機状態にある場合は、ＤＲＡＭの電源供給を停止することができ、省エネルギー化を実現することができるという効果を奏する。
【図面の簡単な説明】
【図１】本発明の第１の実施例であるファクシミリ装置ＦＳ１のブロック図である。
【図２】ファクシミリ装置ＦＳ１の動作を示すフローチャートである。
【図３】本発明の第２の実施例である留守番電話機能を有するファクシミリ装置の動作を示すフローチャートである。
【図４】本発明の第３の実施例であるファクシミリ機能を具備する留守番電話機Ｔ１を示すブロック図である。
【図５】ファクシミリ機能を有する留守番電話機Ｔ１の動作を示すフローチャートである。
【符号の説明】
ＦＳ１、ＦＳ２…ファクシミリ装置、
１…ＣＰＵ、
２…ＲＯＭ、
３…ＤＲＡＭ、
Ｔ１…ファクシミリ機能を有する留守番電話機、
２１…ＣＰＵ、
２２…ＲＯＭ、
２３…ＤＲＡＭ。
【図１】
2005057339.tif 000003
【図２】
2005057339.tif 000004
【図３】
2005057339.tif 000005
【図４】
2005057339.tif 000006
【図５】
2005057339.tif 000007